(57)【要約】【課題】包装箱等の材料となるシート材において、陳列状態における消費者への訴求力を向上させる。【解決手段】包装箱の材料となる段ボール等のシート材において、側面板１に商品であるビール缶を模した図柄２を表示し、その外側に図柄２の輪郭へ向けて明度が漸次変化するグラデーション３を施して、図柄２の輪郭内外の明度差がＣＩＥ（国際照明委員会）規定のＬ＊値で１０以上となるようにする。このようなシート材を使用した包装箱では、図柄２の輪郭内外に明度の差による大きなコントラストが付けられ、図柄２が周囲から浮き上がるように強調されて目立つので、消費者の購買意欲を喚起することができる。【選択図】図１
2007314204.tif 000002
【特許請求の範囲】
【請求項１】
図柄を印刷により表示したシート材において、図柄の外側に図柄の輪郭へ向けて明度が漸次変化するグラデーションを施し、図柄の輪郭内外の明度差がＬ＊値で１０以上となるようにしたことを特徴とする図柄入りシート材。
【発明の詳細な説明】
【技術分野】
【０００１】
この発明は、包装箱や広告具の材料として使用される段ボール等のシート材に関するものである。
【背景技術】
【０００２】
一般に、種々の商品を包装する段ボール製の包装箱として、側面に様々な図柄を印刷により表示しておき、店頭で複数段積み上げて陳列する際、図柄で商品をＰＲできるようにしたものが使用されている。
【発明の開示】
【発明が解決しようとする課題】
【０００３】
しかしながら、上記のような包装箱では、図柄の輪郭の外側が一定明度の背景となっていることから、図柄が目立たず、消費者への訴求効果があまり高くない場合がある。
【０００４】
そこで、この発明は、陳列状態における消費者への訴求力に優れた包装材料等として使用されるシート材を提供することを課題とする。
【課題を解決するための手段】
【０００５】
上記課題を解決するため、この発明は、図柄を印刷により表示したシート材において、図柄の外側に図柄の輪郭へ向けて明度が漸次変化するグラデーションを施し、図柄の輪郭内外の明度差がＬ＊値で１０以上となるようにしたのである。
【０００６】
ここで、Ｌ＊値とは、ＣＩＥ（国際照明委員会）規定の明度に関する指標であり、ＪＩＳ  Ｚ  ８７２９に採用されているものである。
【発明の効果】
【０００７】
このようなシート材を使用して形成した包装箱や広告具では、図柄の輪郭内外に明度の差による大きなコントラストが付けられ、図柄が周囲から浮き上がるように強調されて目立つので、消費者に対して優れた訴求力が得られ、販売促進効果の向上が期待できる。
【発明を実施するための最良の形態】
【０００８】
以下、この発明の実施形態を添付図面に基づいて説明する。
【０００９】
図１に示す第１実施形態に係る包装箱は、ビールの缶Ｃを包装する紙製段ボールを素材としたラップラウンド式のものであり、店頭においては、複数段積み上げて陳列することが想定されている。
【００１０】
この包装箱の側面板１には、缶Ｃの外観を模した図柄２が印刷により表示され、図柄２の外側には、背景の段ボールの地色から図柄２の輪郭へ向けて明度が漸次低下するグラデーション３の印刷が点密度の変化により施されている。
【００１１】
ここで、図柄２における缶のラベル以外の部分は、白色印刷または段ボールの地色のままとされ、図柄２の輪郭内外の明度差は、Ｌ＊値で１０以上となるようにされている。
【００１２】
上記のような包装箱では、ビール缶の図柄２の輪郭内外に明度の差による大きなコントラストが付けられ、図柄２が周囲から浮き上がるように強調されて目立つので、消費者の購買意欲を喚起することができる。
【００１３】
次に、図２に示す第２実施形態に係る包装箱は、商品として清涼飲料水の缶を包装するラップラウンド式段ボール箱であり、その側面板１についてのみ図示する。
【００１４】
この包装箱の側面板１には、図柄４として、商品名のロゴ及び水の流れをイメージさせる波線が表示されている。
【００１５】
図柄４の各部の外側には、背景の段ボールの地色から図柄４の輪郭へ向けて明度が漸次低下するグラデーション５の印刷が点密度の変化により施され、図柄４の内部は、段ボールの地色のままとされている。そして、図柄４の輪郭内外の明度差は、Ｌ＊値で１０以上となるようにされている。
【００１６】
上記のような包装箱でも、図柄４の輪郭内外に明度の差による大きなコントラストが付けられ、図柄４が周囲から浮き上がるように強調されて目立つので、消費者の購買意欲を喚起することができる。
【００１７】
次に、図３に示す第３実施形態に係る包装箱もまた、上記第２実施形態のものと同様、清涼飲料水の缶の包装に使用されるものである。
【００１８】
この包装箱の図柄４の内部には、明度の低い濃色の印刷が施され、一定の中間明度の色が印刷された背景から段ボールの地色が露出する点密度の変化により、図柄４の輪郭へ向けて明度が漸次高くなるグラデーション５が施されている。そして、図柄４の輪郭内外の明度差は、Ｌ＊値で１０以上となるようにされている。
【００１９】
上記のような包装箱でも、図柄４の輪郭内外に明度の差による大きなコントラストが付けられ、図柄４が周囲から浮き上がるように強調されて目立つので、消費者の購買意欲を喚起することができる。
【００２０】
次に、図４に示す第４実施形態に係る包装箱もまた、上記第２，３実施形態のものと同様、清涼飲料水の缶の包装に使用されるものである。
【００２１】
この包装箱の図柄４の内部には、明度の高い白色の印刷が施され、背景には、明度の低い濃色の印刷が施されている。図柄４の周囲のグラデーション５は、中間明度の色の印刷の点密度の変化により、図柄４の輪郭へ向けて明度が漸次高くなるものとされている。そして、図柄４の輪郭内外の明度差は、Ｌ＊値で１０以上となるようにされている。
【００２２】
上記のような包装箱でも、図柄４の輪郭内外に明度の差による大きなコントラストが付けられ、図柄４が周囲から浮き上がるように強調されて目立つので、消費者の購買意欲を喚起することができる。
【００２３】
次に、図５に示す第５実施形態に係る包装箱もまた、上記第２乃至第４実施形態のものと同様、清涼飲料水の缶の包装に使用されるものである。
【００２４】
この包装箱の図柄４の内部には、明度の低い濃色の印刷が施され、図柄４の外側には、側板１の中心部から放射状に光が放たれているイメージのグラデーション５が施されている。グラデーション５は、明度の高い白色印刷の点密度の変化により、明度の低い濃色の印刷が施された側板１の周縁部へ向けて、明度が漸次低くなるようにしたものである。そして、図柄４の輪郭内外の明度差は、Ｌ＊値で１０以上となるようにされている。
【００２５】
上記のような包装箱でも、図柄４の輪郭内外に明度の差による大きなコントラストが付けられ、図柄４が周囲から浮き上がるように強調されて目立つので、消費者の購買意欲を喚起することができる。
【００２６】
次に、図６に示す第６実施形態に係る包装箱もまた、上記第２乃至第５実施形態のものと同様、清涼飲料水の缶の包装に使用されるものである。
【００２７】
この包装箱の図柄４の内部には、明度の高い白色の印刷が施され、図柄４の外側には、側板１を対角線で四分割したイメージのグラデーション５が施されている。グラデーション５は、段ボールの地色が露出する点密度の変化により、側板１の中心部から明度の低い濃色の印刷が施された周縁部へ向けて、対向部の明度が同一階調で漸次低くなるようにしたものである。そして、図柄４の輪郭には濃色の印刷により影付けが施され、図柄４の輪郭内外の明度差は、Ｌ＊値で１０以上となるようにされている。
【００２８】
上記のような包装箱でも、図柄４の輪郭内外に明度の差による大きなコントラストが付けられ、図柄４が周囲から浮き上がるように強調されて目立つので、消費者の購買意欲を喚起することができる。
【００２９】
なお、上記各実施形態では、紙製段ボールのシート材を素材とする包装箱について例示したが、このようなグラデーション印刷を施したシート材は、店頭に立てかけたり、吊り下げたりする広告具にも使用できる。
【００３０】
また、シート材は、紙製の段ボールだけでなく、板紙やプラスチック製の段ボールであってもよく、シート材をフィルム状のものとして、箱以外の袋やボトル用ラベル等の包装材料に使用することもできる。
【実施例１】
【００３１】
上記のようなシート材の図柄とグラデーションについて、その表示に用いる段ボールのライナー原紙の地色明度は、Ｌ＊値の概数で６３．３０となっており、各色のフレキソインクの明度は、Ｌ＊値の概数で表１に示すようなものとなっている。
【００３２】
【表１】
2007314204.tif 000003
【００３３】
そして、このような段ボール及びフレキソインクを様々に組み合わせて、周囲にグラデーションを有する図柄を表示した場合、図柄の輪郭内外の明度差は、Ｌ＊値の概数で表２に示すようなものとなる。表２において、実施例は、この発明の要件を満たす組み合わせであり、比較例は、発明の要件は満たさないが、参考として示したものである。
【００３４】
【表２】
2007314204.tif 000004
【図面の簡単な説明】
【００３５】
【図１】第１実施形態に係る包装箱を示す斜視図
【図２】第２実施形態に係る包装箱の側面板を示す図
【図３】第３実施形態に係る包装箱の側面板を示す図
【図４】第４実施形態に係る包装箱の側面板を示す図
【図５】第５実施形態に係る包装箱の側面板を示す図
【図６】第６実施形態に係る包装箱の側面板を示す図
【符号の説明】
【００３６】
１  側面板
２，４  図柄
３，５  グラデーション
【図１】
2007314204.tif 000005
【図２】
2007314204.tif 000006
【図３】
2007314204.tif 000007
【図４】
2007314204.tif 000008
【図５】
2007314204.tif 000009
【図６】
2007314204.tif 000010